(57)【特許請求の範囲】
【請求項１】
ヘッドボックスから垂下される遮蔽材の下端部に昇降コードの末端を着脱可能に固定するコード掴持装置であって、
前記遮蔽材の下端部に前記遮蔽材の面に倣って追随するように取着する第１連結部材と、
前記昇降コードの下端を取着する第２連結部材とを備え、
前記第１連結部材が前記遮蔽材の面と前記第２連結部材との間に位置して、前記第１連結部材及び前記第２連結部材が互いに係合して連結保持されるよう構成され、
前記第１連結部材を取着する前記遮蔽材の面から前記第２連結部材が引き離される方向に所定の引張力が前記昇降コードに作用する際に上下方向の逆転を要することなく当該係合が外れて、前記第１連結部材及び前記第２連結部材が分離するように構成されていることを特徴とするコード掴持装置。
【請求項２】
前記第１連結部材は、前記遮蔽材の下端部の面に対して、前記遮蔽材の垂下方向に２点以上で取着されていることを特徴とする、請求項１に記載のコード掴持装置。
【請求項３】
前記第２連結部材は、前記第１連結部材に対して、前記昇降コードの垂下方向の上下２点で取着されていることを特徴とする、請求項１又は２に記載のコード掴持装置。
【請求項４】
前記第２連結部材は、前記昇降コードの下端を取着する基端部と、該基端部から二股状に延び、先端近傍に係合部を有する一対の腕部とを有し、
前記第１連結部材は、前記基端部を支持可能な支持部と、前記係合部と係合可能な係合受部とを有し、
前記係合受部と前記係合部が係合して基軸と為し、該基軸を基に回動係合により前記基端部が前記支持部に支持され、前記第１連結部材が前記遮蔽材の面と前記第２連結部材との間に位置して、前記第１連結部材及び前記第２連結部材が互いに係合して連結保持されるよう構成されていることを特徴とする、請求項１から３のいずれか一項に記載のコード掴持装置。
【請求項５】
前記第１連結部材及び前記第２連結部材が互いに係合している際には、前記支持部は、前記一対の腕部の弾性変形を阻止するよう前記基端部を支持しており、
前記昇降コードに対して当該所定の引張力が作用する際には、前記基端部に対する前記支持部の回動係合が解除され、前記一対の腕部が弾性変形して前記係合受部と前記係合部の係合が外れ、前記第１連結部材及び前記第２連結部材が分離するように構成されていることを特徴とする、請求項４に記載のコード掴持装置。
【請求項６】
前記係合受部及び前記係合部は、それぞれ前記第１連結部材及び前記第２連結部材が互いに係合して連結保持される際には当該係合を安定化させるよう誘導し、前記昇降コードに対して当該所定の引張力が作用する際には、前記第１連結部材及び前記第２連結部材が分離するよう誘導する傾斜面を有することを特徴とする、請求項５に記載のコード掴持装置。
【請求項７】
ヘッドボックスから垂下される遮蔽材の下端部に昇降コードを取着して、遮蔽材を昇降可能とする日射遮蔽装置であって、
ヘッドボックスから垂下される遮蔽材と、
遮蔽材の昇降を操作する操作コードと、
遮蔽材の背面にてヘッドボックスから垂下される当該昇降コードを取着する、請求項１から６のいずれか一項に記載のコード掴持装置と、
を備えることを特徴とする日射遮蔽装置。
【発明の詳細な説明】
【技術分野】
【０００１】
本発明は、ヘッドボックスから垂下される遮蔽材の下端部に昇降コードの末端を着脱可能に固定するコード掴持装置及び日射遮蔽装置に関する。
【背景技術】
【０００２】
日射遮蔽装置の一種として、たくし上げカーテンが知られている。たくし上げカーテンは、ヘッドボックスから遮蔽材が吊下支持されるとともに、その遮蔽材の下端部がヘッドボックスから垂下される昇降コードに支持されている。
【０００３】
この昇降コードは、遮蔽材の背面において、遮蔽材の幅方向に複数本垂下され、昇降装置の操作によりヘッドボックス内の巻取り装置に巻き取られ、或いは巻戻される。
【０００４】
そして、巻取り装置に昇降コードを巻き取ると、遮蔽材が下端部から順次たくし上げられる。また、巻取り装置から昇降コードを巻戻せば、たくし上げられている遮蔽材が順次下降する。
【０００５】
ところで、たくし上げカーテンでは、昇降コードが遮蔽材の背面側を移動するようなとき、昇降コードが居住者に引っ掛かってその挙動を妨げることがある。また、遮蔽材の背面側に位置するサッシの取っ手等に昇降コードが引っ掛かった状態で昇降操作を行うと、昇降コードと遮蔽材との接続具に過大な操作力が作用して接続具或いは遮蔽材が破損することもある。
【０００６】
そこで、遮蔽材の下端部に取着する第１の連結部材と、昇降コードの下端に取着する第２の連結部材とを連結保持させることで、昇降コードの下端を遮蔽材の下端部に取着するよう構成する技法が開示されている（例えば、特許文献１参照）。
【０００７】
特許文献１における第１及び第２の連結部材は「コードキャッチ」と称して構成され、このコードキャッチの連結保持は、第１の連結部材に作用する遮蔽材の重量を超える引張力で外れる程度に保持される。これにより、居住者等の挙動を妨げず、且つ昇降装置の不用意な破損を未然に防止し得るようになっている。
【先行技術文献】
【特許文献】
【０００８】
【特許文献１】特開２０１２−７４１９号公報
【発明の概要】
【発明が解決しようとする課題】
【０００９】
特許文献１に開示されるコードキャッチは、所定荷重で分離する機能を有するが、作動の安定性に改善の余地がある。特に、コードキャッチを構成する第１及び第２の連結部材は、遮蔽材の垂下方向で上下に連結されるようになっており、遮蔽材の下端部に取着する第１の連結部材が遮蔽材の面に沿って安定的に固定されるものではなく、第２の連結部材に下端を取着する昇降コードが遮蔽材の面から引き離された方向に引張力が生じた際の分離応答性に改善の余地がある。
【００１０】
例えば、遮蔽材と昇降コードとの間に異物が挟まった時に、直ちに第１及び第２の連結部材が分離するよう応答することが望ましい。しかしながら、特許文献１に開示されるコードキャッチでは、第１の連結部材が遮蔽材の面に沿って安定的に固定されるものではないため、遮蔽材と昇降コードとの間に異物が挟まっているにも関わらず、第１及び第２の連結部材が連結保持された状態から分離されるのに時間がかかるおそれがある。
【００１１】
本発明の目的は、上述の問題に鑑みて、ヘッドボックスから垂下される遮蔽材の下端部に昇降コードの末端を着脱可能に固定するコード掴持装置及び日射遮蔽装置を提供することにある。
【課題を解決するための手段】
【００１２】
本発明のコード掴持装置は、ヘッドボックスから垂下される遮蔽材の下端部に昇降コードを着脱可能に固定するコード掴持装置であって、前記遮蔽材の下端部に前記遮蔽材の面に倣って追随するように取着する第１連結部材と、前記昇降コードの下端を取着する第２連結部材とを備え、前記第１連結部材が前記遮蔽材の面と前記第２連結部材との間に位置して、前記第１連結部材及び前記第２連結部材が互いに係合して連結保持されるよう構成され、前記第１連結部材を取着する前記遮蔽材の面から前記第２連結部材が引き離される方向に所定の引張力が前記昇降コードに作用する際に上下方向の逆転を要することなく当該係合が外れて、前記第１連結部材及び前記第２連結部材が分離するように構成されていることを特徴とする。
【００１３】
また、本発明のコード掴持装置において、前記第１連結部材は、前記遮蔽材の下端部の面に対して、前記遮蔽材の垂下方向に２点以上で取着されていることを特徴とする。
【００１４】
また、本発明のコード掴持装置において、前記第２連結部材は、前記第１連結部材に対して、前記昇降コードの垂下方向の上下２点で取着されていることを特徴とする。
【００１５】
また、本発明のコード掴持装置において、前記第２連結部材は、前記昇降コードの下端を取着する基端部と、該基端部から二股状に延び、先端近傍に係合部を有する一対の腕部とを有し、前記第１連結部材は、前記基端部を支持可能な支持部と、前記係合部と係合可能な係合受部とを有し、前記係合受部と前記係合部が係合して基軸と為し、該基軸を基に回動係合により前記基端部が前記支持部に支持され、前記第１連結部材が前記遮蔽材の面と前記第２連結部材との間に位置して、前記第１連結部材及び前記第２連結部材が互いに係合して連結保持されるよう構成されていることを特徴とする。
【００１６】
また、本発明のコード掴持装置において、前記第１連結部材及び前記第２連結部材が互いに係合している際には、前記支持部は、前記一対の腕部の弾性変形を阻止するよう前記基端部を支持しており、前記昇降コードに対して当該所定の引張力が作用する際には、前記基端部に対する前記支持部の回動係合が解除され、前記一対の腕部が弾性変形して前記係合受部と前記係合部の係合が外れ、前記第１連結部材及び前記第２連結部材が分離するように構成されていることを特徴とする。
【００１７】
また、本発明のコード掴持装置において、前記係合受部及び前記係合部は、それぞれ前記第１連結部材及び前記第２連結部材が互いに係合して連結保持される際には当該係合を安定化させるよう誘導し、前記昇降コードに対して当該所定の引張力が作用する際には、前記第１連結部材及び前記第２連結部材が分離するよう誘導する傾斜面を有することを特徴とする。
【００１８】
更に、本発明の日射遮蔽装置は、ヘッドボックスから垂下される遮蔽材の下端部に昇降コードを取着して、遮蔽材を昇降可能とする日射遮蔽装置であって、ヘッドボックスから垂下される遮蔽材と、遮蔽材の昇降を操作する操作コードと、遮蔽材の背面にてヘッドボックスから垂下される当該昇降コードを取着する、本発明のコード掴持装置と、を備えることを特徴とする。
【発明の効果】
【００１９】
本発明によれば、遮蔽材の下端部と昇降コードとの間に異物が引掛かった場合の安全性を確保することができ、その分離応答性を高めることができる。
【図面の簡単な説明】
【００２０】
【図１】本発明による一実施形態の日射遮蔽装置における概略構成を示す室外側から見た斜視図である。
【図２】本発明による一実施形態の日射遮蔽装置における概略構成を示す側面図である。
【図３】本発明による一実施形態の日射遮蔽装置における実施例１のコード掴持装置の概略構成を示す斜視図である。
【図４】本発明による一実施形態の日射遮蔽装置における実施例１のコード掴持装置の動作を示す側面図である。
【図５】（ａ）,（ｂ），（ｃ）は、それぞれ本発明による一実施形態の日射遮蔽装置における実施例１のコード掴持装置の固定方法の別例を示す側面図である。
【図６】（ａ）,（ｂ）は、それぞれ本発明による一実施形態の日射遮蔽装置における実施例１のコード掴持装置の固定方法の更なる別例を示す側面図である。
【図７】本発明による一実施形態の日射遮蔽装置における実施例２のコード掴持装置の概略構成を示す斜視図である。
【図８】（ａ）,（ｂ）は、本発明による一実施形態の日射遮蔽装置における実施例２のコード掴持装置の構造及び動作を説明する説明図である。
【発明を実施するための形態】
【００２１】
以下、図面を参照して、本発明による各実施形態の日射遮蔽装置を説明する。尚、本願明細書中、図２に示す日射遮蔽装置（たくし上げカーテン）の側面図に対して、図示上方及び図示下方を遮蔽材の吊り下げ方向に準じてそれぞれ上方向（又は上側）及び下方向（又は下側）と定義し、図２の図示左側を日射遮蔽装置（たくし上げカーテン）の後側（室外側）とし、図示右側を日射遮蔽装置（たくし上げカーテン）の前側（室内側）とする。
【００２２】
（日射遮蔽装置）
以下、図１及び図２を参照して、本発明による一実施形態の日射遮蔽装置（たくし上げカーテン）について説明する。図１は、本発明による一実施形態の日射遮蔽装置の概略構成を示す室外側から見た斜視図である。図２は、本発明による一実施形態の日射遮蔽装置の概略構成を示す側面図である。尚、図２において、操作コード１０に係る構成は図示を省略している。
【００２３】
図１及び図２に示す、たくし上げカーテンは、ヘッドボックス１の前面から遮蔽材２が吊下支持されている。遮蔽材２の上端は、例えば面ファスナーでヘッドボックス１の前面に取着されている。
【００２４】
遮蔽材２の室外側表面には、複数本のテープ状生地からなるリングテープ３が上下方向に複数箇所（本例では、三箇所）で配設されて縫着されている。リングテープ３上には、複数のガイド部材１２がその上下方向にほぼ等間隔に固定され、リングテープ３の下端近傍には上下一対の取付リング２１が取着されている（図２参照）。この取付リング２１に、コード掴持装置１１が取着されている。また、遮蔽材２の下端部には環状の袋縫い部分が形成され、この環状の袋縫い部分にウェイトバー４が挿通されている。
【００２５】
ヘッドボックス１から複数本の昇降コード５が複数のガイド部材１２を介して垂下され、ガイド部材１２に挿通された昇降コード５の下端部は、コード掴持装置１１に係止されている。また、それぞれの昇降コード５の上端部はヘッドボックス１内を案内されて、ヘッドボックス１の一端側から室内側外部へと導出して垂下され、イコライザー９の上端部に取着されている。ガイド部材１２は、昇降コード５を案内できる形態であれば、昇降コード５を着脱可能にするＣ字状部材で構成することができ、昇降コード５に対し遮蔽材２から離脱する方向に所定以上の荷重が作用すると昇降コード５がガイド部材１２から分離するようになっている。
【００２６】
イコライザー９の下端部には操作コード１０の一端が取着され、操作コード１０の他端は、分離可能な所定の連結部材を介した後、遮蔽材２の下端部における環状の袋縫い部分を貫通してウェイトバー４に取着されている。
【００２７】
尚、ヘッドボックス１内にて、遮蔽材２やウェイトバー４の自重による昇降コード５の各々の移動をロックすることが可能な公知のストッパー装置が設けられている（図示せず）。
【００２８】
そして、操作コード１０を操作することにより、ヘッドボックス１から垂下される昇降コード５を移動させ、コード掴持装置１１の引き上げ、又は引下げが可能となっている。
【００２９】
従って、複数のガイド部材１２に挿通されて垂下される昇降コード５が上方に移動すると、コード掴持装置１１が引き上げられてコード掴持装置１１より下方に吊下支持される遮蔽材２及びウェイトバー４が引き上げられるとともに、コード掴持装置１１の上端でガイド部材１２が順次押し上げられて、遮蔽材２が順次たくし上げられる。また、当該昇降コード５が下方に移動すると、遮蔽材２の下端部が下降して、たくし上げられた遮蔽材２がヘッドボックス１から吊下支持される状態に復帰する。
【００３０】
このように構成された本実施形態の日射遮蔽装置（たくし上げカーテン）において、コード掴持装置１１は、ヘッドボックス１から垂下される遮蔽材２の下端部に昇降コード５の末端を着脱可能に固定することができる。以下、本発明に係る各実施例のコード掴持装置１１について、詳細に説明する。
【００３１】
（実施例１のコード掴持装置）
まず、図３及び図４を参照して、本発明による一実施形態の日射遮蔽装置における実施例１のコード掴持装置１１を説明する。図３は、本発明による一実施形態の日射遮蔽装置における実施例１のコード掴持装置１１の概略構成を示す斜視図である。図４は、本発明による一実施形態の日射遮蔽装置における実施例１のコード掴持装置１１の動作を示す側面図である。
【００３２】
実施例１のコード掴持装置１１は、遮蔽材２の下端部に遮蔽材２の面に倣って追随するように取着する第１連結部材１１ａと、昇降コード５の下端を取着する第２連結部材１１ｂから構成される。
【００３３】
第１連結部材１１ａは、遮蔽材２の面と第２連結部材１１ｂとの間に位置している。そして、常には、第１連結部材１１ａ及び第２連結部材１１ｂが互いに係合して連結保持されるよう構成されている。
【００３４】
一方、第１連結部材１１ａを取着する遮蔽材２の面から第２連結部材１１ｂが引き離される方向に所定の引張力が昇降コード５に作用する際に第１連結部材１１ａ及び第２連結部材１１ｂの係合が外れて、第１連結部材１１ａ及び第２連結部材１１ｂが分離するようになっている。
【００３５】
より具体的には、第１連結部材１１ａは、略直方体状の外形を有し、その上下面の２箇所に、それぞれ遮蔽材２の下端部に取着された取付リング２１に引掛けて固定する略Ｃ字状の引掛部１１１が一体に設けられている（図２参照）。尚、取付リング２１は環状でもＣ字状でもよく、引掛部１１１により引掛けて固定することができれば任意の形状とすることができる。これにより、第１連結部材１１ａは、遮蔽材２の下端部にて遮蔽材２の面に倣って追随するように固定される。尚、本例では、取付リング２１及び引掛部１１１により、第１連結部材１１ａを遮蔽材２の面に倣って追随するように固定する例を説明するが、第１連結部材１１ａを遮蔽材２の面に倣って追随するように固定することが可能であれば、その他の任意の固定方法で固定してもよい。
【００３６】
例えば、面ファスナー６を用いて第１連結部材１１ａをリングテープ３上に固着してもよい。より具体的には、図５（ａ）に示すように、リングテープ３に面ファスナー（雌）６ｂを設けるとともに、第１連結部材１１ａの取付面の全長にわたって面ファスナー（雄）６ａを設け、リングテープ３に対し第１連結部材１１ａを前後方向に相対回転不能に固定することができる。或いはまた、第１連結部材１１ａの上端は取付リング２１及び引掛部１１１により取着する一方で、第１連結部材１１ａの下端に板状の突起部１２０を設け、この突起部１２０を遮蔽材２の面に沿ってウェイトバー４とともに固定することもできる。より具体的には、図５（ｂ）に示すように、ウェイトバー４の袋縫い部分に挿入可能な突出部１２０を第１連結部材１１ａの下端に設けることで、遮蔽材２の面に沿うように支持することもできる。
【００３７】
また、図５（ｃ）に示すように、第１連結部材１１ａの下端は取付リング２１及び引掛部１１１により固定し、第１連結部材１１ａの上端には、細板状の突起部１２１を設け、この突起部１２１上の係止部１２１ａをリングテープ３（又は遮蔽材２）に縫着することで固定するよう構成してもよい。更には、このような突起部１２１を第１連結部材１１ａの上下端に設けてリングテープ３（又は遮蔽材２）に縫着するよう構成することができる。
【００３８】
更に別の固定方法として、リングテープ３の下端近傍に上下一対の取付リング２１をリングテープ３上に設ける代わりに、リングテープ３上にほぼ等間隔に設けられた複数のガイド部材１２を利用して第１連結部材１１ａを遮蔽材２に対して固定することができる。より具体的には、図６（ａ）に示すように、遮蔽材２の最下端側における上下に連続して位置するガイド部材１２間に第１連結部材１１ａを固定する。このとき、下位のガイド部材１２に第１連結部材１１ａにおける下端側の引掛部１１１を引掛け、直近上位のガイド部材１２に紐状の接続コード１２４の上端１２４ａを固着して接続コード１２４を垂下させ、接続コード１２４の下端を第１連結部材１１ａの上端に設けた係止孔１２５で係止させることで第１連結部材１１ａを遮蔽材２に対して固定する。
【００３９】
ここで、接続コード１２４の弛みや大きなループの形成を防止するために、接続コード１２４を張設した状態で第１連結部材１１ａを吊下支持することが好ましい。このため、例えば、図６（ｂ）に示すように、直近上位のガイド部材１２に上端を接続して垂下させる接続コード１２４の下端を、一旦リングテープ３上に設けた挿通孔１２６を経て係合させ、第１連結部材１１ａの係止孔１２５で係止させるよう構成することもできる。尚、接続コード１２４は、紐状の形態とする代わりに、ボールチェーンとすることができる。
【００４０】
ここでは、図３を参照して、その構成を詳細に説明する。第１連結部材１１ａの上下面の非固定側の縁部には、係合凸部１１４が長尺に形成されている。
【００４１】
また、第２連結部材１１ｂは、第１連結部材１１ａの係合凸部１１４と係合可能な係合爪部１１５が第２連結部材１１ｂの基台部１１６の上下端から延びて形成されており、常には、第１連結部材１１ａ及び第２連結部材１１ｂが互いに係合して連結保持される。
【００４２】
第２連結部材１１ｂの基台部１１６の上端から突出する上端面には、昇降コード５を挿通する挿通孔１１３が設けられ、第２連結部材１１ｂの基台部１１６の略中央から延びる巻付軸の端部には円盤が設けられ、全体としてリール状のコード係止部１１２が形成されている。即ち、挿通孔１１３を介して挿通された昇降コード５は、このリール状のコード係止部１１２の巻付軸に対して巻締めにより係止可能となっている。尚、第２連結部材１１ｂに対して昇降コード５を取着することが可能であれば、その他の任意の固定方法で固定してもよい。
【００４３】
このように、第１連結部材１１ａが遮蔽材２の面と第２連結部材１１ｂとの間に位置した状態で、第１連結部材１１ａ及び第２連結部材１１ｂは、昇降コード５の垂下方向と遮蔽材２の面が略平行状態で安定的に互いに係合して、昇降コード５の末端を遮蔽材２に対して着脱可能に固定するようになっている。
【００４４】
一方、第１連結部材１１ａを取着する遮蔽材２の面から第２連結部材１１ｂが引き離される方向に所定の引張力が昇降コード５に作用する場合について、図４を参照して説明する。図４に示すように、遮蔽材２と昇降コード５との間に異物Ｏｂが挟まった時には、第１連結部材１１ａ及び第２連結部材１１ｂの係合が外れて、直ちに第１及び第２の連結部材１１ａ，１１ｂが分離するよう応答可能となっている。即ち、第１連結部材１１ａは、遮蔽材２の下端部の面に対して遮蔽材２の垂下方向に２点以上で取着され、第２連結部材１１ｂは、係合爪部１１５が基台部１１６の上下端から延びて第１連結部材１１ａの係合凸部１１４と係合して取着されていたため、第１連結部材１１ａを取着する遮蔽材２の面から第２連結部材１１ｂが引き離される方向に所定角度傾斜し、且つ所定の引張力が昇降コード５に作用すると、直ちに第１及び第２の連結部材１１ａ，１１ｂが分離するようになる。
【００４５】
以上のように、図３乃至図６に例示する実施例１のコード掴持装置１１によれば、遮蔽材２の下端部と昇降コード５との間に異物Ｏｂが引掛かった場合の安全性を確保することができ、その分離応答性を高めることができる。また、ガイド部材１２の上の昇降コード５に異物Ｏｂが引掛かった場合でもガイド部材１２から昇降コード５が分離される。
【００４６】
（実施例２のコード掴持装置）
次に、図７及び図８を参照して、本発明による一実施形態の日射遮蔽装置における実施例２のコード掴持装置１１を説明する。図７は、本発明による一実施形態の日射遮蔽装置における実施例２のコード掴持装置１１の概略構成を示す斜視図である。図８（ａ）,（ｂ）は、本発明による一実施形態の日射遮蔽装置における実施例２のコード掴持装置１１の構造及び動作を説明する説明図である。尚、実施例１と同様に機能する構成要素には同一の参照番号を付している。
【００４７】
実施例２のコード掴持装置１１は、遮蔽材２の下端部に遮蔽材２の面に倣って追随するように取着する第１連結部材１１ａと、昇降コード５の下端を取着する第２連結部材１１ｂから構成される点、第１連結部材１１ａが、遮蔽材２の面と第２連結部材１１ｂとの間に位置し、常には、第１連結部材１１ａ及び第２連結部材１１ｂが互いに係合して連結保持されるよう構成される点、及び、第１連結部材１１ａを取着する遮蔽材２の面から第２連結部材１１ｂが引き離される方向に所定の引張力が昇降コード５に作用する際に第１連結部材１１ａ及び第２連結部材１１ｂの係合が外れて、第１連結部材１１ａ及び第２連結部材１１ｂが分離するようになっている点で、実施例１と同様である。
【００４８】
ただし、実施例２のコード掴持装置１１では、第１連結部材１１ａ及び第２連結部材１１ｂの形状が異なり、第１連結部材１１ａは、略凸状の概略外形を有し、第２連結部材１１ｂは、略Ｕ字状の概略外形を有する。
【００４９】
より具体的には、図８（ａ）に示すように、第１連結部材１１ａは、第２連結部材１１ｂの基端部１１７を支持可能に突出する支持部１１６と、第２連結部材１１ｂの係合部１１８ｂと係合して基軸１１８として作用する係合受部１１８ａとを有している。
【００５０】
第２連結部材１１ｂは、昇降コード５の下端を取着する基端部１１７と、基端部１１７から二股状に下方に延び、その先端近傍に係合部１１８ｂが設けられた一対の腕部１１９とを有している。
【００５１】
第１連結部材１１ａ及び第２連結部材１１ｂは、係合受部１１８ａと係合部１１８ｂが係合して基軸１１８と為し、基軸１１８を基に回動係合により基端部１１７が支持部１１６に支持されるようになっている。
【００５２】
第１連結部材１１ａの上下の３箇所で、それぞれ遮蔽材２の下端部に取着された取付リング２１に引掛けて固定する略Ｃ字状の引掛部１１１が設けられている。これにより、第１連結部材１１ａは、遮蔽材２の下端部にて遮蔽材２の面に倣って追随するように固定される。尚、本例では、取付リング２１及び引掛部１１１により、第１連結部材１１ａを遮蔽材２の面に倣って追随するように固定する例を説明するが、第１連結部材１１ａを遮蔽材２の面に倣って追随するように固定することが可能であれば、その他の任意の固定方法で固定してもよい。例えば、前述した図５及び図６に示す固定方法を適用することができる。
【００５３】
第２連結部材１１ｂの基端部１１７には、その内側に溝部１１７ａが形成されている。昇降コード５は、基端部１１７の上方から下方に向けて挿通する挿通孔を介して挿通された後、結び玉５ａによって取着され、この結び玉５ａは、溝部１１７ａに収容される。
【００５４】
そして、図７に示すように、第１連結部材１１ａ及び第２連結部材１１ｂが互いに係合している際には、第１連結部材１１ａが、概ね第２連結部材１１ｂを収容するように連結保持する。
【００５５】
尚、第２連結部材１１ｂの一対の腕部１１９は、弾性変形可能に延びているが、図７に示すように、第１連結部材１１ａ及び第２連結部材１１ｂが互いに係合している際には、支持部１１６は、一対の腕部１１９の弾性変形を阻止するよう基端部１１７を支持している。
【００５６】
このように、第１連結部材１１ａ及び第２連結部材１１ｂは、昇降コード５の垂下方向と遮蔽材２の面が略平行状態で安定的に互いに係合して、昇降コード５の末端を遮蔽材２に対して着脱可能に固定するようになっている。
【００５７】
一方、昇降コード５に対して、図４に示すような異物Ｏｂ等により所定の引張力が作用する際には、所定角度まで相対回転すると基端部１１７に対する支持部１１６の係合が解除され、一対の腕部１１９が弾性変形しやすい状態となる為、弾性的に互いに近づくよう変形して係合受部１１８ａと係合部１１８ｂの係合が外れ、第１連結部材１１ａ及び第２連結部材１１ｂが分離するように構成されている。
【００５８】
当該相対回転する所定角度は、畳み込み時に遮蔽材２がコード掴持装置１１に積層されたときに生じる傾斜角（畳み込み時に、遮蔽材２の面に対して垂直方向の引張力が昇降コード５に生じることによる、コード掴持装置１１自体の鉛直方向に対する傾斜角度）よりも大きく設定されている。即ち、遮蔽材２の昇降時には、コード掴持装置１１自体の傾斜を許容し、第１連結部材１１ａに対する第２連結部材１１ｂの弾性変形が容易には生じないようになっている。
【００５９】
また、図８（ｂ）に示すように、係合受部１１８ａ及び係合部１１８ｂは、それぞれ第１連結部材１１ａ及び第２連結部材１１ｂが互いに係合して連結保持される際には当該係合を安定化させるよう誘導し、昇降コード５に対して当該所定の引張力が作用する際には、第１連結部材１１ａ及び第２連結部材１１ｂが分離するよう誘導する傾斜面を有している。
【００６０】
したがって、遮蔽材２と昇降コード５との間に異物Ｏｂが挟まった時には、第１連結部材１１ａ及び第２連結部材１１ｂの係合が外れて、直ちに第１及び第２の連結部材１１ａ，１１ｂが分離するよう応答可能となっている。即ち、第１連結部材１１ａは、遮蔽材２の下端部の面に対して遮蔽材２の垂下方向に沿うよう保持され、遮蔽材２の面に追随し、第１連結部材１１ａを取着する遮蔽材２の面から第２連結部材１１ｂが引き離される方向に所定角度傾斜すると弾性変形が容易な状態となり、且つ所定の引張力が昇降コード５に作用すると、直ちに第１及び第２の連結部材１１ａ，１１ｂが分離するようになる。
【００６１】
また、第２連結部材１１ｂは、第１連結部材１１ａに対して、遮蔽材２の垂下方向に沿うよう保持され、遮蔽材２の面に追随するため分離応答性が向上する。昇降時には弾性変形が容易には生じないよう支持部１１６が設けられているので、昇降時の無用な分離を回避できる。
【００６２】
このように、実施例２のコード掴持装置１１では、第１連結部材１１ａ及び第２連結部材１１ｂの２部材が相対回動可能に係合され、第１連結部材１１ａは、第２連結部材１１ｂが所定角度回転するまではその弾性変形を阻止し所定角度を超えると弾性変形を許容するよう構成される。
【００６３】
この実施例２のコード掴持装置１１によれば、分離状態に移行する角度を任意に設定できるため、例えば、遮蔽材２の巻き取り時（遮蔽材２が蛇腹状で構成されているときはその畳み込み時）に伴う傾斜角度では分離しない角度とし、それ以上の角度で分離状態に移行するよう分離状態に移行する角度設定を容易に構成することができる。
【００６４】
以上のように、実施例２のコード掴持装置１１によれば、遮蔽材２の下端部と昇降コード５との間に異物Ｏｂが引掛かった場合の安全性を確保することができ、その分離応答性を高めることができる。
【００６５】
以上、特定の実施形態の例を挙げて本発明を説明したが、本発明は前述の実施形態の例に限定されるものではなく、その技術思想を逸脱しない範囲で種々変形可能である。例えば、上述の実施形態及び各実施例では、特定の形状を有する例について説明したが、同様な作用・効果を生じさせる形状であれば他の形状とすることができる。また、遮蔽材２をたくし上げ可能とするたくし上げカーテンに限らず、遮蔽材２を畳み込み可能とするプリーツカーテン等にも各実施例のコード掴持装置１１を適用することができる。
【産業上の利用可能性】
【００６６】
本発明によれば、遮蔽材の下端部と昇降コードとの間に異物が引掛かった場合の安全性を確保することができ、その分離応答性を高めることができるので、このようなコード掴持装置を要する日射遮蔽装置の用途に有用である。
【符号の説明】
【００６７】
１  ヘッドボックス
２  遮蔽材
３  リングテープ
４  ウェイトバー
５  昇降コード
６  面ファスナー
６ａ 面ファスナー（雄）
６ｂ  面ファスナー（雌）
９  イコライザー
１０  操作コード
１１  コード掴持装置
１１ａ  第１連結部材
１１ｂ  第２連結部材
１２  ガイド部材
２１  取付リング
１１１  引掛部
１１２  コード係止部
１１３  挿通孔
１１４  係合凸部
１１５  係合爪部
１１６  基台部
１１７  基端部
１１８  基軸
１１８ａ  係合受部
１１８ｂ  係合部
１１９  腕部
１２０  突起部
１２１  突起部
１２４  接続コード
【図１】
0006460703.tif 000002
【図２】
0006460703.tif 000003
【図３】
0006460703.tif 000004
【図４】
0006460703.tif 000005
【図５】
0006460703.tif 000006
【図６】
0006460703.tif 000007
【図７】
0006460703.tif 000008
【図８】
0006460703.tif 000009